(57)【要約】      （修正有）【課題】自動車等の車庫において、フィルターの目詰まりによる吸入排出力の低下を容易に改善できるような排気装置を提供する。【解決手段】排気設備の排気ファン手前の排気管に本装置を取り付け、排気とともに吸い込まれたゴミをフィルター９でろ過し、付着したゴミや排気タールによるフィルターの目詰まりによる排気設備の吸入排出力の低下を、フィルターを装置の外部から引き出し、ゴミや排気タールを取り除き清掃できる構造とすることにより改善する。更にフィルターに付着しないゴミも取り出せることができるように、前部排気管挿入部下側に点検口と点検口蓋１４を設け、既設排気設備であってもファン吸入側排気管の一部を切断し取除くことで、取り付けることができる装置とした。【選択図】  図１５
2005144421.tif 000002
【特許請求の範囲】
【請求項１】
自動車等車庫に設置される自動車等の排気ガスを屋外に排出する排気設備の排気管に取り付ける装置で、排気管外径と同じ内径の前部排気管挿入部１と一体となすフィルター収納部７を持つ接合板３と、排気管外径と同じ内径の後部排気管挿入部２と一体となす接合板４を、ボルト５とナット６により接合し、フィルター収納部７のフィルター挿入口８に、フィルター支持板１１と一体となすフィルター取り付け板１０にフィルター９を取り付け挿入し、前部排気管挿入部１の下側に点検口１３及び点検口蓋１４を設けた排気設備の排気管に取り付けるフィルター装置。
【請求項２】
前部排気管挿入部１の端から一体となすフィルター収納部７を持つ接合板３までの長さ１９と、後部排気管挿入部２の端から一体となす接合板４までの長さ２０を等しくすることで、既設の排気設備であっても取り付けようとする排気管の一部を１９又は２０の長さを超える長さで切断し取除き、本装置を接合しない状態で前部及び後部を順次排気管に挿入した後、切断し取除いた部分中央に装置の接合部が至るまで移動させ、ボルト５、ナット６により接合することで取付けることができる装置。
【発明の詳細な説明】
【発明の詳細な説明】
この発明は、自動車等車庫に設置される自動車等の排気ガスを屋外に排出する排気設備の排気管に取り付ける装置で、排気ガスと同時にゴミが吸い込まれ、排気ファンの羽や回転軸に絡みつき吸入排出力の低下を防ぐため、排気ファン手前の排気管に本装置を取り付け、フィルター９に付着したゴミや排気タールを容易に取除き清掃できるようにするため、フィルター支持板１１と一体となすフィルター取り付け板１０に取り付けられたフィルター９を、装置の外部から挿入取り出しできるフィルター収納部７及びフィルター挿入口８を設け、更にフィルターに付着しないゴミも取り出せる点検口７を前部排気管挿入部下側に設け、前部排気管挿入部１の端から一体となすフィルター収納部７を持つ接合板３の長さ１９と、後部排気管挿入部２と一体となす接合板４までの長さを等しくすることで、既設の排気設備であっても、取付けようとする排気管の一部を１９又は２０の長さを超える長さで切断し取除き、本装置を接合しない状態で前部及び後部を順次排気管に挿入した後、切断し取除いた部分中央に装置の接合部が至るまで移動させ、ボルト５、ナット６により接合することで取り付けることができる装置。
【技術分野】
【０００２】  この発明は、自動車等車庫に設置される自動車等の排気ガスを屋外に排出する排気設備の排気管に取り付けるフィルター装置に関するものである。
【背景技術】
【０００３】
【発明が解決しようとする課題】
【０００４】  この発明は、自動車等車庫に設置される自動車等の排気設備が、自動車等の排気ガスとともに吸入されたゴミが排気ファンの羽や回転軸に絡みつき、吸入排出力の低下が起こるため、ゴミを吸入した場合に排気ファン手前で取除くフィルターを設けることと、フィルターに付着したゴミや排気タールを容易に取除き清掃できる構造を有する装置とすることと、既設排気設備の排気管にも取り付けることができるようにする必要がある。
【課題を解決するための手段】
【０００５】  自動車等の排気ガスを排出する排気設備の排気ファン手前の排気管に本装置を取り付け、排気ガスとともに吸い込まれたゴミをフィルターでろ過することで、ゴミが排気ファンの羽や回転軸に絡みつき、吸入排出力の低下が起こることを防ぐとともに、付着したゴミや排気タールによるフィルターの目詰まりによる吸入排出力の低下を容易に改善するため、フィルターを装置の外部から引き出だしゴミや排気タールを取り除き清掃できる構造とし、フィルター挿入口から取り出せないゴミも取り出すことが可能な点検口を前部排気管の下側に設け、既設排気管にも排気管の一部を切断取除くことで、取り付けることができる装置としたものである。
【発明を実施するための最良の形態】
【０００６】  以下、本装置の実施の形態として図１〜図５に基づき説明する。【０００７】  図において、前部排気管挿入部１はフィルター収納部７を有する接合板３と一体となし、後部排気管挿入部２と一体となす接合板４と接合板３をボルト５とナット６により接合することで、フィルター収納部７及びフィルター装入口８が設けられ、ここにフィルター支持板１１と一体となすフィルター取り付け板１０にフィルター９を取り付け挿入し、排気ファンの吸入側排気管に取り付けることで、排気とともに吸入されたゴミをろ過し、フィルター支持板１１と一体となすフィルター取付板１０に取付けられたフィルターを容易に引き出すことが可能であり、フィルターに付着したゴミや排気タールを容易に取除き清掃することができ、既設排気設備の排気管に取り付ける場合には、排気ファン吸入側排気管の一部を１９又は２０の長さを超える長さで切断し取除き、本装置を接合しない状態で前部及び後部を順次排気管に挿入した後、切断し取除いた部分中央に装置の接合部が至るまで移動させ、ボルト５、ナット６により接合することで取り付けることができる装置。【０００８】  フィルター支持板１１と一体となすフィルター取り付け板１０にフィルター９を取り付け、フィルター挿入口８に挿入するだけなので、フィルター９にゴミや排気タールが付着し排気設備の吸入排出力が低下した場合、フィルター支持板１１を引き出すだけで容易にフィルターに付着したゴミや排気タールの除去や清掃ができることと、フィルターに付着しないゴミや、フィルター挿入口から取り出せないゴミを取り出す点検口１３及び点検口蓋１４を、前部排気管挿入部１の下側に設ける。
【発明の効果】
【０００９】  本発明装置を、自動車等車庫に設置される自動車等の排気ガスを屋外に排出する排気設備の排気管に取り付けることにより、排気とともに吸入されたゴミが排気ファンに付着し、あるいはファンの回転軸に絡みつき吸入排出力の低下を防ぐとともに、装置に挿入されているフィルターを、装置外部から引き出すだけでゴミや排気タールを取り除き清掃することができるとともに、フィルター挿入口から取り出せないゴミは、前部排気管挿入部下側に設けた点検口から取り出すことが可能であり、ゴミの吸入による排気設備の能力低下の際に容易に改善することができることと、既設排気設備の排気管にも排気ファン吸入側の排気管の一部を切断し取除くことで本装置を取り付けることができる。
【図面の簡単な説明】
【図１】上面図
【図２】底面図
【図３】右側面図
【図４】左側面図
【図５】前面図
【図６】後面図
【図７】フィルター取り出し後の右側面図
【図８】点検口蓋を開けた底面図
【図９】フィルター支持板正面図
【図１０】フィルター取り付け板側面図
【図１１】フィルター取り付け板上面図
【図１２】フィルター取り付け板下面図
【図１３】フィルター取り付け板前面図
【図１４】フィルター取り付け板後面図
【図１５】本発明の実施例を示すフィルター挿入前の斜視図
【図１６】本発明の実施例を示すフィルター挿入後の斜視図
【図１７】本発明の実施例を示す排気管取り付け状態を示す斜視図
【符号の説明】
１は、前部排気管挿入部
２は、後部排気管挿入部
３は、前部排気管と一体となすフィルター収納部７を持つ接合板
４は、後部排気管と一体となす接合板
５は、ボルト
６は、ナット
７は、フィルター収納部
８は、フィルター装入口
９は、フィルター
１０は、フィルター取り付け板
１１は、フィルター支持板
１２は、フィルター引き出し取手
１３は、点検口
１４は、点検口蓋
１５は、点検口蓋開閉蝶番
１６は、点検口蓋止め金具
１７は、点検口蓋止め金具受
１８は、排気設備の排気吸入管
１９は、前部排気管挿入口１から一体となす接合板３までの長さ
２０は、後部排気管挿入口２の端からフィルター収納部７と一体となす接合板までの長さ
【図１】
2005144421.tif 000003
【図２】
2005144421.tif 000004
【図３】
2005144421.tif 000005
【図４】
2005144421.tif 000006
【図５】
2005144421.tif 000007
【図７】
2005144421.tif 000008
【図８】
2005144421.tif 000009
【図９】
2005144421.tif 000010
【図１０】
2005144421.tif 000011
【図１１】
2005144421.tif 000012
【図１２】
2005144421.tif 000013
【図１３】
2005144421.tif 000014
【図１４】
2005144421.tif 000015
【図１５】
2005144421.tif 000016
【図１６】
2005144421.tif 000017
【図１７】
2005144421.tif 000018
【手続補正書】
【提出日】平成16年2月6日(2004.2.6)
【手続補正１】
【補正対象書類名】図面
【補正対象項目名】図５
【補正方法】変更
【補正の内容】
【図５】
2005144421.tif 000019
【手続補正２】
【補正対象書類名】図面
【補正対象項目名】図６
【補正方法】追加
【補正の内容】
【図６】
2005144421.tif 000020